(57)【要約】  【課題】冷蔵庫の設置条件や使用状況による熱影響を受けても、制御基板の部品で特にパワー素子の温度上昇を抑え部品の信頼性や寿命を向上させる冷蔵庫制御基板の収納装置を提供することを目的とする。  【解決手段】冷蔵庫背面板１と、この冷蔵庫背面板１に固着した筐体２と、この筐体２内に収納固着され、基板回路に電子・電気部品が取り付けられた冷蔵庫の制御基板３と、この制御基板３を保護する蓋４を設け、制御基板３にはパワー素子５が取り付けられ、パワー素子５はヒートシンク６を固着し、ヒートシンク６は絶縁性かつ良熱伝導体７を取り付け、絶縁性かつ良熱伝導体７は蓋４に当接させることによって、パワー素子５の発生熱はヒートシンク６から絶縁性かつ良熱伝導体７を介し直に蓋４へ搬送し熱拡散および放熱するので、パワー素子５の温度上昇を抑えることができ、部品の信頼性や寿命の向上となる。【選択図】図１
2005300092.tif 000002
【特許請求の範囲】
【請求項１】
冷蔵庫背面板と、この冷蔵庫背面板に固着した筐体と、この筐体内に収納固着され、基板回路に電子・電気部品が取り付けられた冷蔵庫の制御基板と、この制御基板を保護する蓋を設け、前記制御基板にはパワー素子が取り付けられ、前記パワー素子はヒートシンクを固着し、前記ヒートシンクは絶縁性かつ良熱伝導体を取り付け、前記絶縁性かつ良熱伝導体は前記蓋に当接させたことを特徴とする冷蔵庫制御基板の収納装置。
【請求項２】
蓋は表面積を増大したコルゲート状に形成した請求項１に記載の冷蔵庫制御基板の収納装置。
【請求項３】
蓋の一部は電子・電気部品に近接させた形状とした請求項１または２に記載の冷蔵庫制御基板の収納装置。
【請求項４】
冷蔵庫背面板に当接した冷媒配管と、前記冷蔵庫背面板とパワー素子の位置する制御基板の裏側に絶縁性かつ良熱伝導体を設けた請求項１から３のいずれか一項に記載の冷蔵庫制御基板の収納装置。
【請求項５】
蓋を熱伝導性の高いアルミニウム製とした請求項１から４のいずれか一項に記載の冷蔵庫制御基板の収納装置。
【発明の詳細な説明】
【技術分野】
【０００１】
本発明は冷蔵庫の運転制御を行う制御基板の収納装置に関するものである。
【背景技術】
【０００２】
従来、この種の冷蔵庫は制御基板上のパワー素子のヒートシンクと蓋との間には空間を有している（例えば、特許文献１参照）。
【０００３】
図２は、特許文献１に記載された従来の冷蔵庫を示すものである。図２に示すように、冷蔵庫背面板１と、この冷蔵庫背面板１に固着した筐体２と、この筐体２内に収納固着され、基板回路に電子・電気部品が取り付けられた冷蔵庫の制御基板３と、この制御基板３を保護する蓋４を設けており、制御基板３にはパワー素子５が取り付けられ、パワー素子５はヒートシンク６を固着したことから構成されている。
【０００４】
上記構成により、パワー素子５の熱をヒートシンク６を介して放熱するものである。
【特許文献１】特開２００１−８２８７０号公報
【発明の開示】
【発明が解決しようとする課題】
【０００５】
しかしながら、上記従来の構成では、冷蔵庫の制御基板３の収納内部は、運転中特にパワー素子５の温度が上昇し、発生した熱をヒートシンク６にて放熱させるが蓋４で密閉した閉空間のためその放熱効果に限りがあり、冷蔵庫の設置条件や使用状況によっては熱影響による部品の誤動作や故障、寿命低下等の原因となる課題を有していた。
【０００６】
本発明は、上記従来の課題を解決するもので、冷蔵庫の設置条件や使用状況による熱影響を受けても、制御基板の部品で特にパワー素子の温度上昇を抑え部品の信頼性や寿命を向上させる冷蔵庫制御基板の収納装置を提供することを目的とする。
【課題を解決するための手段】
【０００７】
上記従来の課題を解決するために、本発明の冷蔵庫制御基板の収納装置は、制御基板上のパワー素子に固着したヒートシンクへ絶縁性かつ良熱伝導体を取り付け、蓋に当接しサンドイッチとしたものである。
【０００８】
これによって、冷蔵庫の設置条件や使用状況による熱影響や蓋による閉空間の構造であっても、制御基板上のパワー素子で発生した熱は固着したヒートシンクからさらに絶縁性かつ良熱伝導体へ搬送し、さらに当接した蓋へ移動しここで熱拡散、放熱するため、パワー素子の温度上昇を抑えることができ、部品の信頼性や寿命の向上となる。
【発明の効果】
【０００９】
本発明の冷蔵庫制御基板の収納装置は、制御基板上のパワー素子に固着したヒートシンクへ絶縁性かつ良熱伝導体を取り付け、これを蓋に当接しサンドイッチとしたことにより、パワー素子で発生した熱は固着したヒートシンクからさらに絶縁性かつ良熱伝導体へ搬送し、さらに当接した蓋へ移動しここで熱拡散、放熱するので、パワー素子の温度上昇を抑えることができ、部品の信頼性や寿命を向上させることができる。
【発明を実施するための最良の形態】
【００１０】
請求項１に記載の発明は、冷蔵庫背面板と、この冷蔵庫背面板に固着した筐体と、この筐体内に収納固着され、基板回路に電子・電気部品が取り付けられた冷蔵庫の制御基板と、この制御基板を保護する蓋を設け、前記制御基板にはパワー素子が取り付けられ、前記パワー素子はヒートシンクを固着し、前記ヒートシンクは絶縁性かつ良熱伝導体を取り付け、前記絶縁性かつ良熱伝導体は前記蓋に当接させたことにより、冷蔵庫の設置条件や使用状況による熱影響や蓋による閉空間の構造のでも、制御基板上のパワー素子で発生した熱は固着したヒートシンクからさらに絶縁性かつ良熱伝導体へ搬送し、さらに当接した蓋へ移動しここで熱拡散するため、パワー素子の温度上昇を抑えることができ、部品の信頼性や寿命を向上させることができる。
【００１１】
請求項２に記載の発明は、請求項１に記載の発明において、蓋は表面積を増大したコルゲート状に形成したことにより、パワー素子で発生した熱は蓋での熱交換が増し拡散が一層進みパワー素子の温度上昇をより抑えることができ、部品の信頼性や寿命をさらに向上させることができる。
【００１２】
請求項３に記載の発明は、請求項１または２に記載の発明において、蓋の一部は電子・電気部品に近接させた形状としたことにより、閉空間が減少して空気断熱が減り、蓋の表面積もさらに増大して、他の電子・電気部品の発生熱も蓋に伝搬し易くなり、総じて発生した熱は蓋での熱交換が一段と増して拡散が進み、パワー素子の温度上昇をより抑えることができ、部品の信頼性や寿命をさらに向上させることができる。
【００１３】
請求項４に記載の発明は、請求項１から３のいずれか一項に記載の発明において、冷蔵庫背面板に当接した冷媒配管と、前記冷蔵庫背面板とパワー素子の位置する制御基板の裏側に絶縁性かつ良熱伝導体を設けたことにより、パワー素子の表面側だけでなく裏面側の絶縁性かつ良熱伝導体を通じて冷蔵庫背面板からさらに当接した冷媒配管へと熱搬送が進み、パワー素子の発生した熱は表面側の蓋と相まって裏面側の冷媒配管の両方で放熱され、熱交換が格段に増し、パワー素子の温度上昇を極力抑えることができ、部品の信頼性や寿命をさらに向上させることができる。
【００１４】
請求項５に記載の発明は、請求項１から４のいずれか一項に記載の発明において、蓋を熱伝導性の高いアルミニウム製としたことにより、熱伝導が向上し、パワー素子で発生した熱はさらに蓋で熱交換が進み拡散、放熱が増大され、パワー素子の温度上昇をより抑えることができ、部品の信頼性や寿命をさらに向上させることができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１における冷蔵庫制御基板の収納装置の断面図を示すものである。
【００１７】
図１において、冷蔵庫背面板１は筐体２を固着し、この筐体２は基板回路に電子・電気部品が取り付けられた冷蔵庫の制御基板３を収納固着し画設されている。この制御基板３を保護する蓋４は筐体２に開けられたねじ穴と蓋４の外周部の固定用穴を介しねじにより取り付けられており、外部と隔てた閉空間を内部に構成している。制御基板３にはパワー素子５が取り付けられ、パワー素子５はヒートシンク６を固着し、ヒートシンク６は絶縁性かつ良熱伝導体７を取り付け、この絶縁性かつ良熱伝導体７は蓋４に当接させたことで構成している。また絶縁性かつ良熱伝導体７は蓋４側に取り付けヒートシンク６に当接した構成としても良い。
【００１８】
以上のように構成された冷蔵庫制御基板の収納装置について、以下その動作、作用を説明する。
【００１９】
冷蔵庫は凝縮潜熱の放熱を阻害する設置条件や過負荷の運転使用状況下では冷蔵庫背面に配置されている制御基板３はこの熱影響を受け易く、特にパワー素子５は熱を発生し温度上昇となるが、ヒートシンク６から絶縁性かつ良熱伝導体７を介し直に蓋４へ発生熱が搬送し熱拡散および放熱し、ヒートシンク６から単に空気へ放熱するときに比べ熱伝導の向上は顕著であるためパワー素子５の温度上昇を抑えることができる。絶縁性かつ良熱伝導体７は電気的絶縁性および熱伝導性に優れた材料の使用が望まれる。例えばシリコン系ゴムや絶縁セラミックが挙げられる。
【００２０】
以上のように本実施の形態においては、制御基板３に取り付けられたパワー素子５はヒートシンク６を固着しさらに絶縁性かつ良熱伝導体７を取り付け、この絶縁性かつ良熱伝導体７は蓋４に当接させたことによりパワー素子５の発生熱はヒートシンク６から絶縁性かつ良熱伝導体７を介し直に蓋４へ搬送し熱拡散および放熱するので、パワー素子５の温度上昇を抑えることができ、部品の信頼性や寿命を向上することができる。
【００２１】
なお、蓋４は例えばコルゲート状（波状）などの表面積を増大した形成にしてもよい。この場合、蓋の表面積増大によりパワー素子５で発生した熱は蓋での熱交換が増し拡散が一層進みパワー素子の温度上昇をより抑えることができ、部品の信頼性や寿命をさらに向上させることができる。
【００２２】
また、蓋４の一部は制御基板３に取り付けられた電子・電気部品に近接させた凹凸形状としてもよい。この場合、制御基板３を収納する閉空間が減少して空気断熱が減り、蓋の表面積もさらに増大して、他の電子・電気部品の発生熱も蓋に伝搬し易くなり、総じて発生した熱は蓋での熱交換が一段と増して拡散が進み、パワー素子５の温度上昇をより抑えることができ、部品の信頼性や寿命をさらに向上させることができる。
【００２３】
また、さらに冷蔵庫背面板の断熱材側に冷却器から圧縮機に戻る冷媒配管を当接し、前記冷媒配管近傍の冷蔵庫背面板と制御基板３上のパワー素子５の位置する制御基板の裏側に絶縁性かつ良熱伝導体を設けてもよい。この場合、冷却器から圧縮機に戻る冷媒配管は温度が低く、パワー素子５の表面側だけでなく裏面側の絶縁性かつ良熱伝導体を通じて冷蔵庫背面板からさらに当接した冷媒配管へと熱搬送が進み、パワー素子５の発生した熱は表面側の蓋と相まって裏面側の冷媒配管の両方で放熱され、熱交換が格段に増し、パワー素子の温度上昇を極力抑えることができ、部品の信頼性や寿命をさらに向上させることができる。
【００２４】
また、蓋４は、熱伝導性の高いアルミニウム製とすることが望ましい。この場合、さらに蓋４からの熱伝導が向上し、パワー素子で発生した熱はさらに蓋で熱交換が進み拡散、放熱が増大され、パワー素子の温度上昇をより抑えることができ、部品の信頼性や寿命をさらに向上させることができる。
【産業上の利用可能性】
【００２５】
以上のように、本発明にかかる冷蔵庫制御基板の収納装置は、パワー素子を使ったエアコンや他の家電機器等の用途にも適用できる。
【図面の簡単な説明】
【００２６】
【図１】本発明の実施の形態１における冷蔵庫制御基板の収納装置の断面図
【図２】従来の冷蔵庫制御基板の収納装置の断面図
【符号の説明】
【００２７】
１    冷蔵庫背面板
２    筐体
３    制御基板
４    蓋
５    パワー素子
６    ヒートシンク
７    絶縁性かつ良熱伝導体
【図１】
2005300092.tif 000003
【図２】
2005300092.tif 000004